(57)【特許請求の範囲】
【請求項１】
周囲光が入射する入射面を有する透明体と前記透明体から入射した前記周囲光を反射させる反射部とを設けてなる光学部材と、
前記反射部によって反射された前記周囲光を撮像する撮像手段と、
前記光学部材の先端側に設けられ、少なくとも前記撮像手段によって得られる撮像データを送信可能なアンテナと、
無線通信用の駆動回路から出力される前記撮像データを含む通信信号を前記アンテナへ伝達するために前記アンテナと接続され、前記透明体の入射面に形成された透明導電膜からなる透光性の配線と、を備えてなることを特徴とする撮像装置。
【発明の詳細な説明】
【技術分野】
【０００１】
本発明は、ミラーなどの反射部を設けて、周辺の状態を広画角に撮像する撮像装置に関するものである。
【背景技術】
【０００２】
従来より、広画角に撮像する撮像装置が種々提案されており、例えば特許文献１及び特許文献２に開示されている。かかる撮像装置は、双曲面形状の反射ミラーを用いて周囲光を反射させ、ＣＣＤ（Ｃｈａｒｇｅ  Ｃｏｕｐｌｅｄ  Ｄｅｖｉｃｅ）等の撮像素子によって周囲の様子を撮像するものである。
【特許文献１】特開平１０−１６０４６３号公報
【特許文献２】特開２０００−１２８０３１号公報
【発明の開示】
【発明が解決しようとする課題】
【０００３】
また、かかる撮像装置は、人の手の届きづらい所や危険な所など使用目的によって任意の位置に設置される。しかしながら、撮像素子によって得られる撮像データは、この設置場所と離れた所で利用されることがある。そこで、撮像データを送信するための送信用アンテナを設けて無線通信を利用し、離れた所であっても撮像データを利用できるように構成されることが求められていた。
【０００４】
しかしながら、前記送信用アンテナは、撮像装置の視界の妨げになったり、送信に好適な設置位置を選択する必要があったため、設置するのに面倒な作業が必要であった。また、前記送信用アンテナの設置を考慮して撮像装置の設置位置を限定してしまう場合や、設置できない場合があり問題となっていた。
【０００５】
そこで、本発明の目的とするところは、上述した問題に着目してなされたものであって、撮像データを無線通信する撮像装置において、簡単に設置できる撮像装置を提供することにある。
【課題を解決するための手段】
【０００６】
本発明の撮像装置は、請求項１に記載したように、周囲光が入射する入射面を有する透明体と前記透明体から入射した前記周囲光を反射させる反射部とを設けてなる光学部材と、前記反射部によって反射された前記周囲光を撮像する撮像手段と、前記光学部材の先端側に設けられ、少なくとも前記撮像手段によって得られる撮像データを送信可能なアンテナと、無線通信用の駆動回路から出力される前記撮像データを含む通信信号を前記アンテナへ伝達するために前記アンテナと接続され、前記透明体の入射面に形成された透明導電膜からなる透光性の配線と、を備えてなることを特徴とする。
【発明の効果】
【００１０】
本発明は、被撮像体を広画角に撮像する撮像装置に関し、簡単に設置できる撮像装置を提供できる。
【発明を実施するための最良の形態】
【００１１】
以下、添付の図面に基づいて、本発明の実施するための形態について例を挙げて説明する。
【００１２】
撮像装置Ａは、図１に示すように、光学部材１と、ケース２と、撮像素子（撮像手段）３と、回路基板４と、アンテナ５と、配線６と、キャップ７と、から構成されている。
【００１３】
光学部材１は、周囲光を撮像素子３に集光させるものであり、透明体１１と、反射部１２と、を有している。
【００１４】
透明体１１は、ポリカーボネートなどの透明樹脂材を適用でき、周囲光が入射する曲面形状の入射面１１ａと、双曲面形状の凹部１１ｂと、ケース２と接合するための取付部１１ｃとを設けている。
【００１５】
反射部１２は、入射面１１ａから入射した周囲光を集光して反射像として映し出すものであり、凸状の連続曲面を有する略円錐形状（例えば、双曲面形状）にて形成される。この場合、反射部１２は、凹部１１ｂの面にアルミニウムあるいはクロム等の金属膜にてコーティングされて鏡面となっている。なお、反射部１２は、球面鏡、回転放物面鏡あるいは回転双曲面鏡等の回転対称の凸面を有するものが好適である。
【００１６】
ケース２は、遮光性の合成樹脂材を適用でき、底壁部２１と、円筒状の側壁部２２と、を設けてなり、側壁部２１に光学部材１が固定されている。また、撮像素子３は、回路基板４上に実装され、ケース２の底壁部２１に固定されている。またケース２は、光学部材１が側壁部２１の上端側に固定され、開口部分を塞ぐことによって、撮像素子３や回路基板４を保護する空間を設けている。この場合、透明体１１の下端側に設けられた取付部１１ｃと接着剤２２ａを用いて気密に接着することができ、側壁部２２には、接着剤２２ａが良好に塗布されるように、溜り部２２ｂが設けられている。
【００１７】
撮像素子３は、ＣＣＤあるいはＣＭＯＳ等の２次元イメージセンサを適用でき、受光部が反射部１２と対向するとともに、撮像素子３の光軸上に反射部１２の反射面が位置するように設けられる。撮像素子３は、反射鏡２に映し出される反射像を入力し撮像データとして電気的な信号に変換して出力するものである。
【００１８】
回路基板４は、ケース２の底壁部２１に固定され、撮像素子３を実装するとともに、撮像素子３と電気的に接続される図示しない駆動手段や画像処理回路などを実装している。この場合、回路基板４は、底壁部２１に設けられるものと別に、ケース２外に通信用の駆動回路などを搭載した配線基板（図示しない）が設けられ、回路基板４とこの配線基板とがコード４１を介して接続されている。また、回路基板４の駆動電源は、この配線基板から供給されている。
【００１９】
アンテナ５は、Ａｇ，Ｃｕなどの金属材を適用でき、光学部材１の表面に形成される。この場合、アンテナ５は、光学部材１の先端側で撮像範囲外の位置に設けられる。また、アンテナ５は、通信の周波数帯域に応じた長さや形状（例えば、直線状やループ状，平板状）にて形成され、一端が配線６に接続されている。
【００２０】
配線６は、ＩＴＯ（Ｉｎｄｉｕｍ  Ｔｉｎ  Ｏｘｉｄｅ）などの透明導電膜を適用でき、透明体１１の表面にコーティングすることによって形成される。配線６の一端は、アンテナ５と重なるように光学部材１の先端側まで形成されて導電性接着部材を介してアンテナ５と接続され、もう一端は、取付部１１ｃの下端部のケース２内まで形成されて、導電性接着部材を用いて接続されるコード４２を介して、回路基板４と接続される。この場合、配線６は、ケース２と取付部１１ｃとの接合箇所に保持されたコード４２と導電性接着部材を用いて接続され、コード４２とこのコード４２に接続された回路基板４を介して、通信用の駆動回路から出力される通信信号（例えば、撮像データ）をアンテナ５へ伝達している。
【００２１】
キャップ７は、遮光性の合成樹脂材を適用でき、反射部１２やアンテナ５を覆うようにして、光学部材１の先端側に設けられる。キャップ７は、反射部１２やアンテナ５を保護するとともに、入射面１１ａの一部を塞ぐように形成することによって、撮像範囲外の余計な光の入射を制限することができる。
【００２２】
かかる撮像装置Ａは、周囲光が入射する入射面１１ａを有する透明体１と透明体１１から入射した前記周囲光を反射させる反射部１２とを設けてなる光学部材１と、反射部１２によって反射された前記周囲光を撮像する撮像素子３と、撮像素子３によって得られる撮像データを送信可能なアンテナ５と、を備えてなる。
【００２３】
したがって、撮像データを無線通信するためのアンテナ５を搭載した撮像装置Ａとなるため、撮像装置Ａを設置する際に、アンテナの設置位置を別途選択して取り付ける必要がなく、簡単な作業にて設置することができる。
【００２４】
また、アンテナ５は、入射面１１ａ以外であり、かつ光学部材１の先端側に設けられてなることによって、無線通信の障害物が少ない場所にアンテナを設けることができるため、良好に通信信号を送信することができるだけでなく、撮像装置の視界の妨げとならない構成となる。
【００２５】
また、アンテナ５は、透明体１１の入射面１１ａに形成された透光性の配線６と接続されてなることによって、撮像装置の視界を妨げることなく、通信信号をアンテナ５へ伝えることができる。
【００２６】
なお、本発明の実施の形態では、上述した撮像装置Ａを例に挙げて説明したが、本発明はこれに限定されるものではなく、その構成は同様の効果が得られるものであればよく、例えば、上述したアンテナ５を設けなくとも、透明体の入射面に形成される透光性のアンテナ（上述の配線６と同様の透明導電膜）を通信の周波数帯域に対応した長さや形状にパターン形成することによって、通信することができる。
【００２７】
また、上述の実施の形態では、撮像素子３による撮像データを送信するためのアンテナ５として例に挙げて説明したが、例えば、別の信号を送受信するアンテナとしてこれを兼用することも考えられる。
【００２８】
また、上述の実施の形態では、中実の透明体１１を例に挙げて説明した、空洞の透明体（円筒状の透明体）を用いてもよい。また、鮮明な撮像データを得るために、反射部と撮像手段との間に、焦点補正用のレンズや色収差補正用のレンズを介在するなどの構成も考えられる。
【図面の簡単な説明】
【００２９】
【図１】本発明の実施の形態における撮像装置を断面にて示す図。
【符号の説明】
【００３０】
１      光学部材
１１    透明体
１１ａ  入射面
１２    反射部
３      撮像素子（撮像手段）
６      配線
【図１】
0004725723.tif 000002